(57)【特許請求の範囲】
【請求項１】
成形具本体に設けた睫毛の根元部の上側を保持する規定部と、規定部の下部との間で睫毛の根元側を挟み込む第１挟持部と、第１挟持部よりも前方に位置して規定部の前部との間で睫毛の先端側を挟み込む第２挟持部を備え、成形具本体に前記第１挟持部を上端部に保持する第１ホルダと第２挟持部を上端部に保持する第２ホルダとをそれぞれ上下移動自在に内装し、成形具本体に設けた操作ハンドルの移動範囲のうち、所定の範囲では第１挟持部と第２挟持部とが規定部側に向けて協働して移動し、所定の範囲を超えた領域では第２挟持部のみが更に規定部側に移動するように構成してあり、操作ハンドルと第１ホルダとを弾性部材を介して連結するとともに操作ハンドルと第２ホルダとを連結し操作ハンドルと一体的に移動するスライドノブを設けたことを特徴とする睫毛成形具。
【請求項２】
第２挟持部に挟持する方向と反対方向に力を作用させる付勢手段を設けて成ることを特徴とする請求項１に記載の睫毛成形具。
【請求項３】
第１挟持部に挟持する方向と反対側に力を作用させる付勢手段を設けて成ることを特徴とする請求項１又は請求項２に記載の睫毛成形具。
【請求項４】
第１挟持部及び第２挟持部が目の形状に沿うように湾曲形状となっていることを特徴とする請求項１乃至請求項３のいずれかに記載の睫毛成形具。
【請求項５】
第２挟持部の少なくとも規定部に挟持される部位を弾性材により形成してあることを特徴とする請求項１乃至請求項４のいずれかに記載の睫毛成形具。
【請求項６】
規定部の少なくとも第２挟持部に挟持される部位を弾性材により形成してあることを特徴とする請求項１乃至請求項５のいずれかに記載の睫毛成形具。
【請求項７】
第１挟持部の挟持側面に連続した溝を設け、規定部に第１挟持部に設けた溝に入り込む突部を設けて成ることを特徴とする請求項１乃至請求項５のいずれかに記載の睫毛成形具。
【請求項８】
溝を断面Ｖ字状とし、該断面Ｖ字状の溝の底に丸みを持たせてあることを特徴とする請求項７記載の睫毛成形具。
【請求項９】
第１挟持部を弾性体により形成して成ることを特徴とする請求項１乃至請求項５、請求項７、請求項８のいずれかに記載の睫毛成形具。
【請求項１０】
第１挟持部、第２挟持部を弾性体により形成し、規定部に第１挟持部、第２挟持部に食い込むように剛性を有する材料により形成する突部を設けて成ることを特徴とする請求項１乃至請求項５、請求項７乃至請求項９のいずれかに記載の睫毛成形具。
【請求項１１】
第２挟持部の挟持側面に連続した溝を設け、規定部に第２挟持部の溝に入り込む突部を設けて成ることを特徴とする請求項１乃至請求項１０のいずれかに記載の睫毛成形具。
【請求項１２】
規定部がヒータを内蔵していることを特徴とする請求項１乃至請求項１１のいずれかに記載の睫毛成形具。
【請求項１３】
第１挟持部がヒータを内蔵していることを特徴とする請求項１乃至請求項１２のいずれかに記載の睫毛成形具。
【請求項１４】
第２挟持部がヒータを内蔵していることを特徴とする請求項１乃至請求項１３のいずれかに記載の睫毛成形具。
【請求項１５】
第２挟持部が弾性体で形成されているとともに、第２挟持部に内蔵されたヒータがコイル状に形成してあることを特徴とする請求項１４記載の睫毛成形具。
【請求項１６】
操作ハンドルが第１挟持部の移動方向と同方向にスライド自在に設けてあることを特徴とする請求項１乃至請求項１５のいずれかに記載の睫毛成形具。
【請求項１７】
第２挟持部が睫毛の根元側から先端側へ規定部に接触するように移動するように形成してあることを特徴とする請求項１乃至請求項１６のいずれかに記載の睫毛成形具。
【発明の詳細な説明】
【０００１】
【発明の属する技術分野】
本発明は、睫毛に癖付けを行うための睫毛成形具に関するものである。
【０００２】
【従来の技術】
従来から睫毛の癖付けを行うための睫毛成形具が知られている。この睫毛成形具は、一つの規定部と一つの挟持部とから構成してあり、規定部と挟持部とで睫毛を挟持して癖付けをするようになっている。ところが上記の従来の睫毛成形具は、一度の使用では挟持している一部のみしか成形できず、睫毛全体を癖付け出来なかった。そのため、睫毛の根元から先端にかけて数回に分けて繰り返し成形する必要があり、成形部と未成形部とが混在し、睫毛全体の癖付けをすることが困難であり、仕上がりも不自然であった。また、睫毛の中間部や毛先を挟持するように器具を動かすには技術が必要であった。
【０００３】
【発明が解決しようとする課題】
本発明は上記の点に鑑みてなされたものであり、容易に睫毛全体を一度に癖付けすることが可能な睫毛成形具を提供することを課題とするものである。
【０００４】
【課題を解決するための手段】
上記課題を解決するために本発明に係る睫毛成形具は、成形具本体１７に設けた睫毛の根元部の上側を保持する規定部１と、規定部１の下部との間で睫毛の根元側を挟み込む第１挟持部２と、第１挟持部２よりも前方に位置して規定部１の前部との間で睫毛の先端側を挟み込む第２挟持部４を備え、成形具本体１７に前記第１挟持部２を上端部に保持する第１ホルダ１４と第２挟持部４を上端部に保持する第２ホルダ１５とをそれぞれ上下移動自在に内装し、成形具本体１７に設けた操作ハンドル３の移動範囲のうち、所定の範囲では第１挟持部２と第２挟持部４とが規定部１側に向けて協働して移動し、所定の範囲を超えた領域では第２挟持部４のみが更に規定部１側に移動するように構成してあり、操作ハンドル３と第１ホルダ１４とを弾性部材を介して連結するとともに操作ハンドル３と第２ホルダ１５とを連結し操作ハンドル３と一体的に移動するスライドノブ１６を設けたことを特徴とするものである。このような構成とすることで、睫毛を規定部１と第１挟持部２とで挟持した状態で、第２挟持部４により突出した睫毛を規定部１側へ押し付けることができ、一度の操作で睫毛全体を癖付けすることができるものである。また、操作ハンドル３の移動範囲のうち、所定の範囲では第１挟持部２と第２挟持部４とが規定部１側に向けて協働して移動し、所定の範囲を超えた領域では第２挟持部４のみが更に移動するように構成してあることで、操作ハンドル３を操作して第１挟持部２と第２挟持部４とを移動させ、第１挟持部２により睫毛の根元部分を挟持すると第１挟持部２の移動を停止して第２挟持部４のみを移動させて睫毛の先端部を押して癖付けすることができ、操作ハンドル３の操作のみで簡単に睫毛の癖付けができるものである。また、簡単な構成で、操作ハンドル３の移動範囲のうち、所定の範囲では第１挟持部２と第２挟持部４とが規定部１側に向けて協働して移動し、所定の範囲を超えた領域では第２挟持部４のみが更に移動するようにできるものである。
【０００５】
また、第２挟持部４に挟持する方向と反対方向に力を作用させる付勢手段を設けることが好ましい。このような構成とすることで、睫毛の癖付けが終わると付勢手段により第２挟持部４を初期位置に戻すことができるものである。
【０００６】
また、第１挟持部２に挟持する方向と反対側に力を作用させる付勢手段を設けることが好ましい。このような構成とすることで、睫毛の癖付けが終わると付勢手段により第１挟持部２を初期位置に戻すことができるものである。
【０００７】
また、第１挟持部２及び第２挟持部４が目の形状に沿うように湾曲形状となっていることが好ましい。このような構成とすることで、睫毛を目の形状に沿うような湾曲形状に癖付けすることができるものである。
【０００８】
また、第２挟持部４の少なくとも規定部１に挟持される部位を弾性材により形成してあることが好ましい。このような構成とすることで、第２挟持部４による睫毛の規定部１への押圧力を高めることができるものである。
【０００９】
また、規定部１の少なくとも第２挟持部４に挟持される部位を弾性材により形成してあることが好ましい。このような構成とすることで、規定部１に対して第２挟持部４を押圧して睫毛を挟持した際に睫毛の挟持力を高めることができるものである。
【００１０】
また、第１挟持部２の挟持側面に連続した溝７を設け、規定部１に第１挟持部２に設けた溝に入り込む突部８を設けてあることが好ましい。このような構成とすることで、睫毛の根元から中間部の癖付けを容易にすることができるものである。
【００１１】
また、溝７を断面Ｖ字状とし、該断面Ｖ字状の溝７の底に丸みを持たせてあることが好ましく、これにより溝７に沿って睫毛を癖付けする際に鋭角に癖付けされることなく湾曲形状に癖付けされることになる。
【００１２】
また、第１挟持部２を弾性体により形成することが好ましい。このように構成することで、簡単な構成で第１挟持部２で睫毛の根元を押し付けて睫毛の癖付けができるものである。
【００１３】
また、第１挟持部２、第２挟持部４を弾性体により形成し、規定部１に第１挟持部２、第２挟持部４に食い込むように剛性を有する材料により形成する突部を設けることが好ましい。このような構成とすることで、規定部１の剛性を有する突部が弾性を有する第１挟持部２、第２挟持部４に食い込みながら綺麗に癖付けされることになる。
【００１４】
また、第２挟持部４の挟持側面に連続した溝９を設け、規定部１に第２挟持部４の溝９に入り込む突部１０を設けることが好ましい。このような構成とすることで、睫毛の中間部から先端部の癖付けを容易にすることができるものである。
【００１５】
また、規定部１がヒータを内蔵していることが好ましい。このような構成とすることで、睫毛を加熱して確実に癖付けすることができるものである。
【００１６】
また、第１挟持部２がヒータ１２を内蔵していることが好ましい。このような構成とすることで、睫毛の根元から中間部を加熱して確実に癖付けすることができるものである。
【００１７】
また、第２挟持部４がヒータ１３を内蔵していることが好ましい。このような構成とすることで、睫毛の中間部から先端部を加熱して確実に癖付けすることができるものである。
【００１８】
また、第２挟持部４が弾性体で形成されているとともに、第２挟持部４に内蔵されたヒータ１３がコイル状に形成してあることが好ましい。このような構成とすることで、第２挟持部４を弾性体で形成して睫毛の押圧力を高めるようにしたものにおいて第２挟持部４が押圧により変形してもヒータ１３もこれに追随して容易に変形させることができるものである。
【００１９】
また、操作ハンドル３が第１挟持部２の移動方向と同方向にスライド自在に設けてあることが好ましい。このような構成とすることで、簡単な構成で操作ハンドル３を操作して第１挟持部２を移動させることが可能となるものである。
【００２１】
また、第２挟持部４が睫毛の根元側から先端側へ規定部１に接触するように移動するように形成してあることが好ましい。このような構成とすることで、第２挟持部４が規定部１を押圧しながら上がっていくことで、その摩擦により睫毛の毛流れを整えることができるものである。
【００２２】
【発明の実施の形態】
以下、本発明を添付図面に示す実施形態に基づいて説明する。
【００２３】
睫毛成形具５は図１乃至図５に示すように、成形具本体１７に睫毛を挟持する規定部１、第１挟持部２、第２挟持部４を設け、更に、第１挟持部２を移動させるための操作ハンドル３を設けて構成してある。
【００２４】
成形具本体１７は手で掴むことができるような上下に細長い把持部１８を設けてあり、把持部１８の後面側に上下方向に移動自在に操作ハンドル３を取付けてある。成形具本体１７の操作ハンドル３を取付けた後面側の上部両側に上方に向けて支柱部１９を突設してあり、両支柱部１９間に規定部１を一体に架設してあり、成形具本体１７の上部と両支柱部１９と規定部１とに囲まれた部分が窓部２０となっている。規定部１は目の形状に沿うように湾曲しており、前面視で中央部が上となるように湾曲し且つ平面視で中央部が前となるように湾曲した形状をしている。
【００２５】
成形具本体１７には第１挟持部２を上端部に装着した第１ホルダ１４と、第２挟持部４を上端部に装着した第２ホルダ１５とがそれぞれ上下移動自在に内装してあり、第１挟持部２及び第２挟持部４はそれぞれ成形具本体１７の上端部の開口から窓部２０内に突出していて第１ホルダ１４、第２ホルダ１５を上に移動することで第１挟持部２及び第２挟持部４がそれぞれ窓部２０内を上昇して窓部２０の上端部に位置する規定部１に向けて移動して規定部１に押し当てられるようになっている。ここで、第１挟持部２よりも第２挟持部４が前方側（図１（ｂ）、図２において右側）にずれて位置させてある。
【００２６】
第１挟持部２は目の形状に沿うように湾曲しており、前面視で中央部が上となるように湾曲し且つ平面視で中央部が前となるように湾曲した形状をしており、目の瞼に密着させた時に前述のように湾曲した規定部１が睫毛の上側に位置し、この規定部１の下部と第１挟持部２とで睫毛の根元を挟持するようにしている。第１挟持部２には横方向に連続したＶ字状の溝７が形成してあり、規定部１の下部はＶ字状の溝７が嵌まり込む突部８となっており、睫毛の根元から中間部を第１挟持部２のＶ字状の溝７と突部８とで挟持することで睫毛の根元から中間部を癖付けするようになっている。ここで、断面Ｖ字状をした溝７の溝底部分は鋭角でなくて丸みを持たせてあり、溝７に沿って睫毛を癖付けする際に鋭角に癖付けされることなく湾曲形状に癖付けされることになる。
【００２７】
第２挟持部４は目の形状に沿うように湾曲しており、前面視で中央部が上となるように湾曲し且つ平面視で中央部が前となるように湾曲した形状をしており、前述のように湾曲した規定部１の前部と第２挟持部４とで睫毛の先端側を挟持するようにしている。第２挟持部４には横方向に連続したＶ字状の溝９が形成してあり、規定部１の前部はＶ字状の溝７が嵌まり込む突部１０となっており、睫毛の中間部から先端部を第２挟持部４のＶ字状の溝９と突部１０とで挟持することで睫毛の中間部から先端部を癖付けするようになっている。なおこの溝９の底も鋭角でなく丸みを持たせてもよい。
【００２８】
ここで、規定部１を金属やプラスチック材料等の剛性を有する材料で構成し、第１挟持部２及び第２挟持部４を弾性体で形成すると、睫毛の規定部１への押圧を高めることができ、より容易に睫毛の癖付けができるものである。
【００２９】
第１挟持部２の内部にはニクロム線等をコイル状に巻いたヒータ１２を内蔵してあり、また、第２挟持部４内部にもニクロム線等をコイル状に巻いたヒータ１３が内蔵してあり、これらヒータ１２、１３を成形具本体１７内に内装した乾電池と接続してあり、睫毛を加熱して容易に且つ確実に癖付けができるようにしてある。ここで、規定部１内にもニクロム線等をコイル状に巻いたヒータを設けてもよく、このようにすると、よりいっそう睫毛の癖付けが容易に且つ確実に行えることになる。
【００３０】
成形具本体１７内にはスライドノブ１６が上下移動自在に内装してあり、このスライドノブ１６の係合部２１に操作ハンドル３に設けた被係合部２２が係合していて、操作ハンドル３を上下方向に移動することでスライドノブ１６を上下方向に移動するようになっている。スライドノブ１６の下端部と成形具本体１７とは初張力をもった第１ばね２５により連結してある。また、スライドノブ１６には上下方向の中央部に開口部２３が設けてあって、この開口部２３に第１ホルダ１４の下端部に設けた下横片部２４が上下方向に移動自在に挿入してあり、第１ホルダ１４の下横片部２４とスライドノブ１６の上部とを初張力を持った第２ばね２６により連結してある。ここで、第１ばね２５、第２ばね２６はゴム等の弾性体であってもよい。図４、図５に示すように第２ホルダ１５の下部の両側部より下方に脚部２７が垂設してあり、この脚部２７の下端部に設けた孔２８にスライドノブ１６に設けた腕部２９を嵌め込むことでスライドノブ１６と第２ホルダ１５とを連結してある。
【００３１】
上記のような構成の睫毛成形具５は、成形具本体１７の把持部１８を手で掴んで規定部１を瞼に当てて規定部１を睫毛の上側に位置させ、この状態で操作ハンドル３を指により上方に移動させることで睫毛の癖付けを行うものである。しかして操作ハンドル３を上方に移動させるとスライドノブ１６が上方に移動し、第２ばね２６を介して上端部に第１挟持部２を備えた第１ホルダ１４が上昇し、第１挟持部２が規定部１の後部に睫毛の付け根から中間部を介して押し当たる。操作ハンドル３を上記のように上方に移動するとスライドノブ１６と第２ホルダ１５とが連結してあるので第２ホルダ１５が上昇する。そして、操作ハンドル３を操作して第１挟持部２と規定部１とで睫毛の根元から中間部を挟持するまでの操作ハンドル３の移動範囲では図６の状態から図７のように第１挟持部２と第２挟持部４とが協働して上昇し、それ以上操作ハンドル３を上昇させると、第１挟持部２は第２ばね２６の張力により規定部１との間で睫毛の根元から中間部を挟持したまま、第２ばね２６に抗してスライドノブ１６が上昇し、これによりスライドノブ１６に連結した第２ホルダ１５が上昇し、このため、所定の範囲を超えた領域では第２挟持部４のみが更に移動して図８のように第２挟持部４が睫毛の中間部から先端部を押して規定部１の前端部との間で挟持することになる。このようにして睫毛の根元から先端部にかけて全体を癖付けするものである。
【００３２】
この場合、第１ばね２５、第２ばね２６は初張力を持っているので、操作ハンドル３から指を離すと第１挟持部２、第２挟持部４が規定部１より自動的に離れることになり、使い勝手が良いものである。
【００３３】
このように、使用者は成形具本体１７の把持部１８を手で掴んで操作ハンドル３を指で押し上げた後、操作ハンドル３から指を離すのみで一度に睫毛全体に滑らかな曲線の癖付けすることができるものである。
【００３４】
上記に示した実施形態では、第２挟持部４が第１挟持部２の移動方向とほぼ同方向に移動するように構成してあって、第１挟持部２、第２挟持部４を移動させる構成を簡略化するようになっている。
【００３５】
ここで、図９に第２挟持部４を第１挟持部２の移動方向に対して交差する方向に移動するように構成した参考例を示す。すなわち、本参考例においては、上端部に第１挟持部２を備えた第１ホルダ１４を成形具本体１７に上下移動自在に設けるとともに第１ホルダ１４を操作ハンドル３の上下移動に連動して上下移動するように構成し、また、図示を省略しているが、第１ホルダ１４には初期張力を有するばね材により第１ホルダ１４を下降させる付勢力を付与してある。一方、成形具本体１７の前面部には軸受け部３２を設け、この軸受け部３２に上端部に第２挟持部４を有する第２ホルダ１５の下端部を回転自在に軸支し、第２ホルダ１５にばね材３３を装着して第２挟持部４が規定部１の前端から離れる方向のばね力を付与してある。図９においてはばね材３３は圧縮ばねで成形具本体１７の前面部と第２ホルダ１５との間に設けてある。そして、本参考例においては、操作ハンドル３を上方に操作して第１挟持部４を操作ハンドル３の操作方向と同方向である上方に移動して規定部１の下部と第１挟持部４とで睫毛の根元から中間部を挟持し、この挟持状態のまま次に第２ホルダ１５をばね材３３に抗して第２ホルダ１５を回動して第２挟持部４を上記第１挟持部２の移動方向に対して交差する方向に移動して第２挟持部４と規定部１の前部とで睫毛の中間部から先端部を挟持するものであり、このような構成とすることで、規定部１と第１挟持部２及び第２挟持部４とで挟持する周長を長くとることができて、より長い睫毛を一度に癖付けすることができるものである。
【００３６】
この参考例でも第２ホルダ１５から指を離し、操作ハンドル３から指を離すことで、ばねの力で自動で睫毛から第１挟持部２、第２挟持部４が離れるものである。なお、本参考例では第２挟持部４が第１挟持部２及び操作ハンドル３に対して独立して移動自在となっているが、本参考例においても第２挟持部４が第１挟持部２及び操作ハンドル３と連動するようにしてもよいものである。
【００３７】
図１０には他の参考例が示してある。本参考例においては、上端部に第１挟持部２を備えた第１ホルダ１４を成形具本体１７に上下移動自在に設けるとともに第１ホルダ１４を操作ハンドル３の上下移動に連動して上下移動するように構成し、また、図示を省略しているが、第１ホルダ１４には初期張力を有するばね材により第１ホルダ１４を下降させる付勢力を付与してある。そして、第１挟持部２の前部から斜め前上方に向けて連結部６を突出し、連結部６の上端部に第２挟持部４を設けてある。この連結部６は弾性体により形成してもよく、あるいはリンク機構等を伴った剛体でもよい。しかして、本参考例において操作ハンドル３を上方に押し上げると、第２挟持部４は規定部１の下部に押圧されて睫毛の根元を挟持する。更に操作ハンドル３を上方に押し上げると第２挟持部４は規定部１を押圧しながら上がっていくため、その摩擦で睫毛の毛流れを整えることができるものである。操作ハンドル３を上げきると規定部１と第１挟持部２、連結部６及び第２挟持部４とで睫毛全体を挟持して癖付けを行うことができる（つまり、本参考例では連結部６部分も規定部１に押し付けられて睫毛を挟持する）。この場合、第１挟持部２、連結部６、第２挟持部４を一体となった弾性体で構成すると構造を簡略化できるものである。
【００３８】
なお、上記実施形態や、参考例、他の参考例では規定部１を剛体により構成した例を示したが、規定部１を弾性体としてもよいものである。
【００３９】
【発明の効果】
上記のように本発明の請求項１記載の発明にあっては、成形具本体に設けた睫毛の根元部の上側を保持する規定部と、規定部の下部との間で睫毛の根元側を挟み込む第１挟持部と、第１挟持部よりも前方に位置して規定部の前部と間で睫毛の先端側を挟み込む第２挟持部を備え、成形具本体に前記第１挟持部を上端部に保持する第１ホルダと第２挟持部を上端部に保持する第２ホルダとをそれぞれ上下移動自在に内装し、成形具本体に設けた操作ハンドルの移動範囲のうち、所定の範囲では第１挟持部と第２挟持部とが規定部側に向けて協働して移動し、所定の範囲を超えた領域では第２挟持部のみが更に規定部側に移動するように構成してあるので、睫毛を規定部と第１挟持部とで挟持した状態で、第２挟持部により突出した睫毛を規定部側へ押し付けることができ、簡単な構成の睫毛成形具により一度の操作で容易に睫毛全体を癖付けすることができるものである。また、操作ハンドルを操作して第１挟持部と第２挟持部とを移動させ、第１挟持部により睫毛の根元部分を挟持すると第１挟持部の移動を停止して第２挟持部のみを移動させて睫毛の先端部を押して癖付けすることができて、操作ハンドルの操作のみで簡単に睫毛の癖付けができ、簡単な構成で睫毛全体を綺麗に癖付けできるものである。また、操作ハンドルと第１ホルダとを弾性部材を介して連結するとともに操作ハンドルと第２ホルダとを連結し操作ハンドルと一体的に移動するスライドノブとを設けたので、簡単な構成で、操作ハンドルの移動範囲のうち、所定の範囲では第１挟持部と第２挟持部とが規定部側に向けて協働して移動し、所定の範囲を超えた領域では第２挟持部のみが更に移動するようにでき、睫毛成形具の構造が簡略化できるものである。
【００４０】
また、請求項２記載の発明にあっては、上記請求項１に記載の発明の効果に加えて、第２挟持部に挟持する方向と反対方向に力を作用させる付勢手段を設けてあるので、睫毛の癖付けが終わると付勢手段により第２挟持部を睫毛から離して自動的に初期位置に戻すことができ、操作が容易となるものである。
【００４１】
また、請求項３記載の発明にあっては、上記請求項１又は請求項２に記載の発明の効果に加えて、第１挟持部に挟持する方向と反対側に力を作用させる付勢手段を設けてあるので、睫毛の癖付けが終わると付勢手段により第１挟持部を睫毛から自動的に離して初期位置に戻すことができ、操作が容易となるものである。
【００４２】
また、請求項４記載の発明にあっては、上記請求項１乃至請求項３のいずれかに記載の発明の効果に加えて、第１挟持部及び第２挟持部が目の形状に沿うように湾曲形状となっているので、睫毛を目の形状に沿うような湾曲形状に癖付けすることができるものである。
【００４３】
また、請求項５記載の発明にあっては、上記請求項１乃至請求項４のいずれかに記載の発明の効果に加えて、第２挟持部の少なくとも規定部に挟持される部位を弾性材により形成してあるので、第２挟持部による睫毛の規定部への押圧力を高めることができて、容易且つ正確に睫毛の先端部の癖付けができるものである。
【００４４】
また、請求項６記載の発明にあっては、上記請求項１乃至請求項５のいずれかに記載の発明の効果に加えて、規定部の少なくとも第２挟持部に挟持される部位を弾性材により形成してあるので、規定部に対して第２挟持部を押圧して睫毛を挟持した際に睫毛の挟持力を高めることができて容易且つ正確に睫毛の先端部の癖付けができるものである。
【００４５】
また、請求項７記載の発明にあっては、上記請求項１乃至請求項５のいずれかに記載の発明の効果に加えて、第１挟持部の挟持側面に連続した溝を設け、規定部に第１挟持部に設けた溝に入り込む突部を設けているので、簡単な構成で睫毛の根元から中間部の癖付けを容易に行うことができるものである。
【００４６】
また、請求項８記載の発明にあっては、上記請求項７記載の発明の効果に加えて、溝を断面Ｖ字状とし、該断面Ｖ字状の溝の底に丸みを持たせてあるので、溝に沿って睫毛を癖付けする際に鋭角に癖付けされることなく湾曲形状に癖付けできるものである。
【００４７】
また、請求項９記載の発明にあっては、上記請求項１乃至請求項５、請求項７、請求項８のいずれかに記載の発明の効果に加えて、第１挟持部を弾性体により形成してあるので、簡単な構成で第１挟持部で睫毛の根元を押し付けて睫毛の癖付けができるものである。
【００４８】
また、請求項１０記載の発明にあっては、上記請求項１乃至請求項５、請求項７乃至請求項９のいずれかに記載の発明の効果に加えて、第１挟持部、第２挟持部を弾性体により形成し、規定部に第１挟持部、第２挟持部に食い込むように剛性を有する材料により形成する突部を設けてあるので、規定部の剛性を有する突部が弾性を有する第１挟持部、第２挟持部に食い込みながら綺麗に癖付けできるものである。
【００４９】
また、請求項１１記載の発明にあっては、上記請求項１乃至請求項１０のいずれかに記載の発明の効果に加えて、第２挟持部の挟持側面に連続した溝を設け、規定部に第２挟持部の溝に入り込む突部を設けてあるので、簡単な構成で睫毛の中間部から先端部の癖付けを容易にすることができるものである。
【００５０】
また、請求項１２記載の発明にあっては、上記請求項１乃至請求項１１のいずれかに記載の発明の効果に加えて、規定部がヒータを内蔵しているので、規定部に内蔵したヒータにより挟持した際に睫毛を加熱して確実且つ容易に綺麗な癖付けができるものである。
【００５１】
また、請求項１３記載の発明にあっては、上記請求項１乃至請求項１２のいずれかに記載の発明の効果に加えて、第１挟持部がヒータを内蔵しているので、第１挟持部に内蔵したヒータにより睫毛の根元から中間部を加熱して確実且つ容易に綺麗な癖付けができるものである。
【００５２】
また、請求項１４記載の発明にあっては、上記請求項１乃至請求項１３のいずれかに記載の発明の効果に加えて、第２挟持部がヒータを内蔵しているので、第２挟持部に内蔵したヒータにより睫毛の中間部から先端部を加熱して確実且つ容易に綺麗な癖付けができるものである。
【００５３】
また、請求項１５記載の発明にあっては、上記請求項１４記載の発明の効果に加えて、第２挟持部が弾性体で形成されているとともに、第２挟持部に内蔵されたヒータがコイル状に形成してあるので、第２挟持部を弾性体で形成して睫毛の押圧力を高めるようにしたものにおいて第２挟持部が変形してもヒータもこれに追随して容易に変形させることができて確実に睫毛を癖付けすることができるものである。
【００５４】
また、請求項１６記載の発明にあっては、上記請求項１乃至請求項１５のいずれかに記載の発明の効果に加えて、操作ハンドルが第１挟持部の移動方向と同方向にスライド自在に設けてあるので、簡単な構成で操作ハンドルを操作して第１挟持部を移動させることが可能となるものである。
【００５６】
また、請求項１７記載の発明にあっては、上記請求項１乃至請求項１６のいずれかに記載の発明の効果に加えて、第２挟持部が睫毛の根元側から先端側へ規定部に接触するように移動するように形成してあるので、第２挟持部が規定部を押圧しながら上がっていくことで、その摩擦により睫毛の毛流れを整えることができて、簡単な構成の睫毛成形具により睫毛の癖付けが綺麗にできるものである。
【図面の簡単な説明】
【図１】（ａ）は本発明の睫毛成形具の正面図であり、（ｂ）は側面図である。
【図２】図１（ａ）のＡ−Ａ線の断面図である。
【図３】図２の要部拡大断面図である。
【図４】図１（ａ）のＢ−Ｂ線拡大断面図である。
【図５】正面断面図である。
【図６】第１挟持部及び第２挟持部を押し上げる前の状態を示し、（ａ）は断面図であり、（ｂ）は側面図である。
【図７】第１挟持部及び第２挟持部を押し上げて第１挟持部を規定部に押し付けている状態を示し、（ａ）は断面図であり、（ｂ）は側面図である。
【図８】第１挟持部を規定部に押し付けてた状態で更に第２挟持部を押し上げて規定部に押し付けている状態を示し、（ａ）は断面図であり、（ｂ）は側面図である。
【図９】参考例を示し、（ａ）は挟持前の状態の側面図であり、（ｂ）は挟持した状態の側面図である。
【図１０】他の参考例を示し、（ａ）は押し上げ前の状態の側面図であり、（ｂ）は押し上げ途中の状態の側面図であり、（ｃ）は挟持した状態の側面図である。
【符号の説明】
１  規定部
２  第１挟持部
３  操作ハンドル
４  第２挟持部
５  睫毛成形具
６  連結部
７  溝
８  突部
９  溝
１０  突部
１２  ヒータ
１３  ヒータ
１４  第１ホルダ
１５  第２ホルダ
１６  スライドノブ
【図１】
0004135286.tif 000002
【図２】
0004135286.tif 000003
【図３】
0004135286.tif 000004
【図４】
0004135286.tif 000005
【図５】
0004135286.tif 000006
【図６】
0004135286.tif 000007
【図７】
0004135286.tif 000008
【図８】
0004135286.tif 000009
【図９】
0004135286.tif 000010
【図１０】
0004135286.tif 000011